(57)【要約】【課題】移動電話を通信ネットワーク内で動作可能にすること。【解決手段】本発明の方法によれば、ランダム認証番号と、前記ランダム認証番号に対応して予期される応答とを生成することと、前記ランダム認証番号を組み込んだフォワードショートメッセージサービス（ＳＭＳ）メッセージを前記移動電話に送信することとを含んでいる。この方法は更に、前記移動電話において、前記ランダム認証番号に対応して認証応答を生成することと、前記移動電話から、前記認証応答を組み込んでいる返信ショートメッセージサービスメッセージを受信することとを含んでいる。この方法はまた、前記返信ショートメッセージサービスメッセージにおける前記認証応答と、前記予期された応答との比較を実施することと、前記比較に対応して、前記移動電話が前記通信ネットワーク内で動作することについての認証を行うこととを含んでいる。
2005510989.tif 000002
【特許請求の範囲】
【請求項１】
移動電話を通信ネットワーク内で動作可能にする方法であって、
ランダム認証番号と、前記ランダム認証番号に対して予期された応答とを生成することと、
前記ランダム認証番号を組み込んだフォワードショートメッセージサービスメッセージを前記移動電話に送信することと、
前記移動電話において、前記ランダム認証番号に対応して認証応答を生成することと、
前記認証応答を組み込んでいる返信ショートメッセージサービスメッセージを前記移動電話から受信することと、
前記返信ショートメッセージサービスメッセージ内の認証応答と、前記予期された応答との比較を実行することと、
前記比較に対応して、前記移動電話が前記通信ネットワークで動作するように認証することと
を備えた方法。
【請求項２】
請求項１に記載の方法において、
前記移動電話が、複数の異なる通信プロトコルで動作するようにされた方法。
【請求項３】
請求項２に記載の方法において、
前記ランダム認証番号は、ランダム認証番号サイズを備え、前記予期された応答と前記認証応答とはそれぞれ予期された応答サイズを備え、前記ランダム認証番号サイズと前記予期された応答サイズは、複数のプロトコルからなるそれぞれのプロトコルに対応した値をもつ方法。
【請求項４】
請求項１に記載の方法において、
前記移動電話が前記フォワードショートメッセージサービスメッセージを認証要求として認識できるように前記フォワードショートメッセージサービスメッセージにフォワード識別子を組み込むことと、
前記返信ショートメッセージサービスメッセージに逆識別子を組み込むこととを更に備え、
前記返信ショートメッセージサービスメッセージが認証回答として認識されるようにした方法。
【請求項５】
移動電話を通信ネットワーク内で動作可能にする装置であって、
ランダム認証番号と、前記ランダム認証番号に対して予期された応答とを生成し、フォワードショートメッセージサービスメッセージ内に前記ランダム認証番号を組み込み、前記フォワードショートメッセージサービスメッセージを前記移動電話に送信するように適用されたネットワークコントロールセンタと、
前記ランダム認証番号に対応して認証応答を生成し、返信ショートメッセージサービスメッセージ内に前記認証応答を組み込み、前記返信ショートメッセージサービスメッセージを前記ネットワークコントロールセンタに送信するように適用され、前記移動電話に備えられた回路とを備え、
前記ネットワークコントロールセンタは、更に、前記認証応答と前記予期された応答との比較を行い、前記比較に対応して、前記移動電話が前記通信ネットワーク内で動作することについての認証を行うように適用された装置。
【請求項６】
請求項５に記載の装置において、
前記ネットワークコントロールセンタは、基地局システム、移動切換センタ、及び認証センタのうちの少なくとも一つを備えている装置。
【請求項７】
請求項５に記載の装置において、
前記回路は、複数の異なる通信プロトコルで前記移動電話を動作させるように適用されている装置。
【請求項８】
請求項７に記載の装置において、
前記ランダム認証番号は、ランダム認証番号サイズを備え、前記予期された応答と前記認証応答とはそれぞれ予期された応答サイズを備え、前記ランダム認証番号サイズと前記予期された応答サイズは、複数のプロトコルからなるそれぞれのプロトコルに対応した値をもつ装置。
【請求項９】
請求項５に記載の装置において、
前記ネットワークコントロールセンタは、前記回路が前記フォワードショートメッセージサービスメッセージを認証要求として認識できるようにするフォワード識別子を、前記フォワードショートメッセージサービスメッセージに組み込むように適用されており、
前記回路は、前記ネットワークコントロールセンタが前記返信ショートメッセージサービスメッセージを認証回答として認識できるようにする逆識別子を、前記返信ショートメッセージサービスメッセージに組み込むように適用されている装置。
【請求項１０】
移動電話を、データバーストメッセージを送受信するように適用された通信ネットワーク内で動作可能にする方法であって、
ランダム認証番号と、前記ランダム認証番号に対して予期された応答とを生成することと、
前記ランダム認証番号を組み込んだフォワードデータバーストメッセージを前記移動電話に送信することと、
前記移動電話において、前記ランダム認証番号に対応して認証応答を生成することと、
前記認証応答を組み込んでいる返信データバーストメッセージを前記移動電話から受信することと、
前記返信データバーストメッセージ内の認証応答と、前記予期された応答との比較を実行することと、
前記比較に対応して、前記移動電話が前記通信ネットワークで動作することについての認証を行うことと
を備えた方法。
【請求項１１】
移動電話を、データバーストメッセージを送受信するように適用された通信ネットワーク内で動作可能にする装置であって、
ランダム認証番号と、前記ランダム認証番号に対して予期された応答とを生成し、フォワードデータバーストメッセージ内に前記ランダム認証番号を組み込み、前記フォワードデータバーストメッセージを前記移動電話に送信するように適用されたネットワークコントロールセンタと、
前記ランダム認証番号に対応して認証応答を生成し、返信データバースメッセージ内に前記認証応答を組み込み、前記返信データバーストメッセージを前記ネットワークコントロールセンタに送信するように適用され、前記移動電話に備えられた回路とを備え、
前記ネットワークコントロールセンタは、更に、前記認証応答と前記予期された応答との比較を行い、前記比較に対応して、前記移動電話が前記通信ネットワーク内で動作することについての認証を行うように適用された装置。
【請求項１２】
移動電話を、通信ネットワーク内で動作可能にする装置であって、
ランダム認証番号と、前記ランダム認証番号に対して予期された応答とを生成し、フォワードショートメッセージサービスメッセージ内に前記ランダム認証番号を組み込み、前記フォワードショートメッセージサービスメッセージを前記移動電話に送信するように適用されたネットワークコントロール手段と、
前記ランダム認証番号に対応して認証応答を生成し、返信ショートメッセージサービスメッセージ内に前記認証応答を組み込み、前記返信ショートメッセージサービスメッセージを前記ネットワークコントロール手段に送信するように適用され、前記移動電話に備えられた回路手段とを備え、
前記ネットワークコントロール手段は、更に、前記認証応答と前記予期された応答との比較を行い、前記比較に対応して、前記移動電話が前記通信ネットワーク内で動作することについての認証を行うように適用された装置。
【請求項１３】
請求項１２に記載の装置において、
前記回路手段が、複数の異なる通信プロトコルで前記移動電話を動作させるように適用された装置。
【請求項１４】
請求項１３に記載の装置において、
前記ランダム認証番号は、ランダム認証番号サイズを備え、前記予期された応答と前記認証応答とはそれぞれ予期された応答サイズを備え、前記ランダム認証番号サイズと前記予期された応答サイズは、複数のプロトコルからなるそれぞれのプロトコルに対応した値をもつ装置。
【請求項１５】
請求項１２に記載の装置において、
前記ネットワークコントロール手段は、前記回路手段が前記フォワードショートメッセージサービスメッセージを認証要求として認識できるようにするフォワード識別子を、前記フォワードショートメッセージサービスメッセージに組み込むように適用されており、
前記回路手段は、前記ネットワークコントロール手段が前記返信ショートメッセージサービスメッセージを認証回答として認識できるようにする逆識別子を、前記返信ショートメッセージサービスメッセージに組み込むように適用されている装置。
【発明の詳細な説明】
【技術分野】
【０００１】
本発明は、一般に認証方法に関し、特に、携帯通信ネットワーク内で動作している移動電話を認証する方法に関する。
【背景技術】
【０００２】
携帯通信ネットワーク内で動作している移動電話は、呼出をかけたり、受けることができる前に、認証処理を受ける。とりわけ、この認証によって、移動電話の盗用を阻止する。認証が実施される２タイプのネットワークは、コード分割多元接続（ＣＤＭＡ）ネットワークと、時分割多元接続（ＴＤＭＡ）フォーマットで動作するGlobal System for Mobile Communications（ＧＳＭ）ネットワークとがある。
【０００３】
図１は、当該技術で知られている携帯ネットワーク１０における認証処理を示す概要図である。ネットワーク１０内の移動電話１２は、基地局システム（ＢＳＳ）１４と通信している移動切換センタ（ＭＳＣ）１６へ初期信号を送信する。このネットワーク内における動作に対して認証されるために、ＭＳＣ１６は、認証センタ（ＡＵＣ）１８に対して、通常３ビットバイトであるランダムな認証番号２０を生成するように指示する。認証番号２０は、認証パケット２２に組み込まれ移動電話１２に送信される。この生成は、ホーム位置レジスタ（ＨＬＲ）２９から導出されたデータを使って実行される。ＭＳＣ１６、ＡＵＣ１８、及びＨＬＲ２９は、ＢＳＳ１４が接続されているネットワーク１０のバックボーン内に備えられている。移動電話は、応答値２４を生成するために、移動電話内に備えられた認証アルゴリズムを介して、この番号を処理する。この応答値は、認証応答パケット２６に組み込まれてＭＳＣに送信される。ＭＳＣは、ＡＵＣ１８及びＨＬＲ２９と共に、ランダム番号２０と応答２４とが、このネットワークの認証基準を満足しているかを確認する。基準を満足している場合には、この移動電話は、ネットワーク内で動作を継続することが許可される。
【０００４】
ネットワーク１０はまた、ネットワークのバックボーン内にショートメッセージサービスセンタ（ＳＭＳ−Ｃ）２８を備えている。ＳＭＳ−Ｃ２８は、短い英数字メッセージを送受信することができる。移動電話１２は、そのようなＳＭＳメッセージを送受信するように実装されている。それよりも多い数の文字が送信されるにもかかわらず、一般に、ＳＭＳ−Ｃによって送受信された英数字メッセージは、約１２８文字からなっている。
【０００５】
ネットワーク１０が、Telecommunications Industry Association（Arlington, VA）によって発表されたTIA/EIA/IS-2000-A-1規格のような産業規格プロトコルに従って動作するＣＤＭＡネットワークからなっている場合には、移動電話１２は、ＣＤＭＡ移動電話からなる。ＡＵＣ１８は、第３世代パートナシッププロジェクト２によって発行されたＡＮＳＩ−４１プロトコルを実施している。なお、第３世代パートナシッププロジェクト２は、本書で参考文献として組み込まれているhttp://www.3gpp2.orgで参照される。この場合、認証センタから送られたランダム認証番号２０は、３２ビットの数であり、ＣＤＭＡ移動電話によって生成された応答値２４は１８ビットの数である。認証を実行するために、ＣＤＭＡ移動電話は、１８ビットの数である認証応答を送信できなくてはならない。
【０００６】
ネットワーク１０が、欧州電気通信標準化協会（Sophia Antipolis Cedex, France）によって発表されたETSI TS 100 940 V7.8. 0技術仕様のような産業規格プロトコルに従って動作するＧＳＭネットワークからなっている場合には、移動電話１２は、ＧＳＭ移動電話からなる。本書で参考文献として組み込んでいる上記仕様のセクション４．３は、ＧＳＭネットワークにしたがった認証手続を記載している。この場合、認証センタから送られたランダム認証番号は、１２８ビットの数であり、ＧＳＭ移動電話によって生成された応答値は、３２ビットの数である。ＧＳＭネットワーク内の認証を実行するために、ＧＳＭ移動電話は、３２ビットの数である認証応答を送信できなくてはならない。
【０００７】
しかしながら、ＣＤＭＡ移動電話がＧＳＭネットワークで動作する必要がある場合には、移動電話が生成する必要がある認証応答である３２ビットの数は、ＣＤＭＡ移動電話の１８ビットの機能よりも大きい。このようなＣＤＭＡ移動電話の制限された可能性を打破するための公知の方法は、ＧＳＭ認証センタとＣＤＭＡ移動電話の両方のソフトウェアを変更することを含む。ＣＤＭＡ移動電話が、ネイティブなＣＤＭＡ環境で動作する必要がある場合には、このソフトウェアは、オリジナルソフトウェアによって交換される。当該技術で知られている別の処置は、ＧＳＭセンタ内のソフトウェアを交換することである。これによって、ＧＳＭネットワーク内で動作可能なＣＤＭＡ移動電話上で、「ＣＤＭＡタイプの」認証のみが実行される。しかしながら、何れの方法も疑わしいことが認められよう。
【特許文献１】米国特許仮出願第60/332,117号
【発明の開示】
【０００８】
本発明のある局面の目的は、通信ネットワーク内で動作するように移動電話を認証する方法及びシステムを提供することにある。
【０００９】
本発明のある好適な実施例では、移動電話は、携帯通信ネットワーク内で動作される必要がある。基地局、すなわちネットワーク内の切換センタは、メッセージ形式、最も好ましくはショートメッセージングシステム（ＳＭＳ）メッセージの型式で認証要求を移動電話に送信することによってこの移動電話を認証する。このＳＭＳメッセージは、認証手続きの一部として使用されるランダム番号とともに、ＳＭＳメッセージを認証要求として定義している第１の識別子を含む。この第１の識別子を分析することによって、移動電話は、ＳＭＳメッセージを認証要求と認識し、認証応答を生成できるように、移動電話内に備えられた認証アルゴリズムを介して、付随するランダム番号を処理する。この応答は、移動電話からネットワークに送信された返信ＳＭＳメッセージで送られる。この返信ＳＭＳメッセージは、返信メッセージを、認証応答を含んでいると定義する第２の識別子を含む。ネットワークは、この移動電話を認証するために、返信メッセージからの応答を復元し、復元された応答を予期された応答と比較する。ＳＭＳメッセージを、認証要求及び応答に対する配信システムとして使用することによって、ランダム番号と当該技術で知られたシステムにおける応答とのサイズに関する制限を回避することができる。
【００１０】
本発明のある好適な実施例では、移動電話は一つ以上の通信ネットワーク内で動作することが可能である。各ネットワークは、ランダム番号と応答に対してそれぞれ異なるサイズを定義している異なった認証プロトコルを備える。この移動電話は、ネットワークからネットワークへ移動しても、移動電話内のソフトウェアやハードウェアを変えることなく、自己の「ネィティブな」ネットワーク内、または、異なるプロトコルで動作しているネットワーク内で認証される。移動電話が動作しているネットワークがデータバーストメッセージ（ＤＢＭ）をサポートしている本発明の別の好適な実施例では、移動電話への認証要求メッセージと、移動電話からの認証応答メッセージとがＤＢＭとして送られる。最も好適には、ＤＢＭは、このネットワークが動作している通信プロトコルによって既にサポートされたタイプのものである。
【００１１】
本発明は、図面と共に参照された好適な実施例の以下の詳細記載からより十分に理解されよう。
【発明を実施するための最良の形態】
【００１２】
本出願は、ここに参考文献として引用している米国特許仮出願第60/332,117号（2001年11月21日出願）（特許文献１）の優先権を主張する。
【００１３】
リファレンスが図２に対してなされる。これは、本発明の好適な実施例に従ったものであり、移動電話３２の認証処理を示す概要図である。移動電話３２は、第１の産業規格携帯通信プロトコルに従って機能する携帯通信ネットワーク３０内で動作するように適用されている。この移動電話は、自己を動作可能にする電気回路３５を備えている。より好ましくは、移動電話３２は、第２の産業規格携帯通信プロトコルにしたがって動作するのと同様に第１のプロトコルに従って動作するように適用されている。例えば、第１のプロトコルは、本発明の従来技術で参照したETSI TS 100 940 V7.8. 0技術仕様のようなGlobal System for Mobile Communications（ＧＳＭ）プロトコルからなり、第２のプロトコルは、同様に本発明の従来技術で参照したTIA/EIA/IS-2000-A-1規格のようなコード分割多元接続（ＣＤＭＡ）プロトコルからなる。あるいは、移動電話３２は、ＧＳＭまたはＣＤＭＡの何れかの産業規格プロトコルに従って動作するか、または当該技術で知られた別のプロトコルに従って動作する。
【００１４】
基地局システム（ＢＳＳ）３４は、認証センタ（ＡＵＣ）３６とホーム位置レジスタ（ＨＬＲ）３８とに接続されている移動切換センタ（ＭＳＣ）４０に接続されている。オプションで、ショートメッセージサービスセンタ（ＳＭＳ−Ｃ）４２もまたＭＳＣ４０に接続することができる。ＢＳＳ３４、ＡＵＣ３６、ＨＬＲ３８、及びＭＳＣ４０のうちの少なくとも何れかは、ネットワーク３０内の送信を制御するネットワーク制御センタ３７として動作する。以下に示す相違点を除けば、ＡＵＣ３６、ＨＬＲ３８、ＭＳＣ４０、及びＳＭＳ−Ｃ４２はそれぞれ本発明の従来技術における図１に関連して説明されたＡＵＣ１８、ＨＬＲ２９、ＭＳＣ１６、及びＳＭＳ−Ｃ２８として一般に機能する。
【００１５】
移動電話３２は、ネットワーク３０内で動作することを望み、初期信号をＢＳＳ３４に送信する。この移動電話を認証するために、ＢＳＳ３４は、第１のフォワードメッセージ４８内にカプセル化されたランダム認証番号４４を移動電話３２に送信する。以下に述べる場合を除いて、メッセージ４８は、ＳＭＳメッセージからなるものと仮定される。メッセージ４８は、メッセージ内に識別子４６を含んでいるので、移動電話４８は、ランダム認証番号を運ぶ特別なメッセージとしてＳＭＳメッセージ４８を認識することができる。ＳＭＳメッセージ４８を受信すると、認証応答を生成するために、移動電話３２は、このメッセージを復号し、ランダム認証番号４４の値を復元し、この復元した値を移動電話内に備えられた認証アルゴリズムに適用する。好適には、メッセージ４８を復号するためのソフトウェア、認証番号４４を復元するためのソフトウェア、及び認証アルゴリズムが、移動電話３２内で別個に分離可能な要素３１、より好ましくは加入者認識モジュール（ＳＩＭ）として組み込まれている。あるいは、このソフトウェアは、移動電話のメモリ３３内に必須に組み込まれている。
【００１６】
移動電話３２は、この認証応答を返信メッセージ５４内に応答値５０として組み入れ、このメッセージをＢＳＳ３４に送信する。以下に述べる点を除いて、メッセージ５４は、ＳＭＳメッセージからなるように仮定される。移動電話３２は、識別子５２をメッセージ５４に組み入れる。これによって、このメッセージは、認証応答を伝える特別のメッセージとして認識される。ＳＭＳメッセージ５４は、ＢＳＳ３４によって、ＭＳＣ４０にルーティングされる。ＭＳＣ４０は、識別子５２から、このメッセージが認証応答を含んでいることを認識し、このメッセージから応答値５０を抽出する。ＭＳＣ４０は、応答値５０がランダム番号認証４４に対する予期された応答と一致することを確認し、もしも一致しているのであれば、移動電話３２を認証する。ランダム番号認証４４と応答値５０とをＳＭＳメッセージに組み入れることによって、移動電話３２が動作する異なるプロトコルによって定義されたランダム番号認証と応答値のサイズの制限は克服される。ＳＭＳメッセージは１２８、又は８ビットを超える文字を送信することが可能であるので、この制限は克服される。
【００１７】
図３は、本発明の好適な実施例に従うものであって、ネットワーク３０内で動作している移動電話３２の認証に含まれるステップを示すシーケンス図である。一例として、ネットワーク３０は、ＧＳＭプロトコルに従って動作するように仮定される。シーケンス図６０は、移動電話３２が初期送信を行い、ＢＳＳによって受信され、認証を待っている前後に実施されるステップを示している。この初期送信は、典型的には移動電話３２の電話番号である国際移動電話加入者識別番号（ＩＭＳＩ）を含んでいる。これは、ネットワークに初めに登録された時に移動電話に割り当てられ、ＡＵＣ３６にもまた格納されている。また登録時には、移動電話３２には、加入者認証キー（Ｋｉ）が割り当てられる。これは、移動電話とＡＵＣ３６との両方に格納される。
【００１８】
第１のステップ６２では、ＡＵＣ３６は、ランダム番号（ＲＡＮＤ）を生成し、ＲＡＮＤを用いて、ＲＡＮＤとＫｉとの関数である信号応答（ＳＲＥＳ）と呼ばれる認証パラメータを計算する。ＡＵＣ３６はまた、ＫｉとＲＡＮＤの関数である暗号キー（Ｋｃ）を計算する。ＩＭＳＩ、Ｋｃ、ＲＡＮＤ、及びＳＲＥＳは、ＨＬＲ３８に送られ、そこに格納される。
【００１９】
第２のステップ６４では、ＭＳＣがＢＳＳ３４を経由して初期送信を受信した後に、ＨＬＲ３８がＩＭＳＩ、Ｋｃ、ＲＡＮＤ、及びＳＲＥＳの値をＭＳＣ４０に送る。ＭＳＣ４０は、後の比較目的のために、ＩＭＳＩ、Ｋｃ、ＲＡＮＤ、及びＲＥＳを格納する。
【００２０】
第３のステップ６６では、ＭＳＣ４０が、ランダム認証番号４４（図２）に対応しているＲＡＮＤ値をＳＭＳメッセージ４８に組み入れる。このＳＭＳメッセージは、トラフィックチャンネル又はコントロールチャンネルのうちの何れかを経由してＢＳＳ３４に送られる。あるいは、ネットワーク３０がＣＤＭＡ２０００ネットワークからなっている場合には、これは、アプリケーションデータ配信サービス（ＡＤＤＳ）を使ってなされる。
【００２１】
第４のステップ６８では、ＢＳＳ３４が、識別子４６をメッセージに追加し、このメッセージを移動電話３２に送信する。
【００２２】
第５のステップ７０では、移動電話３２がＳＩＭ３１またはメモリ３３に含まれるソフトウェアを使用して、識別子４６から、ＳＭＳメッセージ４８を、番号４４からなるメッセージとして識別する。この移動電話は、番号４４と、この移動電話に格納されたＩＭＳＩとＫｉの値とを用いて番号４４に対する信号応答として応答値５０を生成する。その後、この移動電話は、応答値５０と識別子５２とを組み込んでＳＭＳメッセージ５４を構成する。
【００２３】
第６のステップ７４では、移動電話がＳＭＳメッセージ５４をＢＳＳ３４に送信する。
【００２４】
最後のステップ７６では、ＢＳＳ３４は、ＳＭＳメッセージ５４をＭＳＣ４０に転送する。ＭＳＣ４０は、識別子５２から、このＳＭＳメッセージを認証ＳＭＳメッセージ４８への応答として認識する。その後ＭＳＣ４０は、メッセージ５４からの応答値５０の値を、信号応答として復元し、この復元した値を、第２のステップ６４でＨＬＲ３８から受信した予期されたＳＲＥＳの値と比較する。これら２つの信号が一致した場合には、ＭＳＣ４０はこの移動電話を認証し、一致しない場合には、この移動電話は認証されない。
【００２５】
図２及び図３に関する上記記載は、実質的には、移動トランシーバがＳＭＳメッセージを送受信することが可能な携帯通信ネットワークで動作しているあらゆる移動トランシーバに適用することが認められよう。従って、本発明の範囲は、このトランシーバ及び／又はネットワークによって使用される送信のあらゆる具体的なプロトコル又は方法に限定されるものではない。
【００２６】
ＢＳＳ３４と移動電話３２とが、例えばコード分割多元接続（ＣＤＭＡ）システムのような拡散スペクトルシステムを経由して通信可能な本発明の別の好適な実施例では、メッセージ４８及びメッセージ５４（図２）は、ショートデータバーストメッセージからなっている。データバーストメッセージは、本発明の背景技術で参照されたTIA/EIA/IS-2000-A-1規格で説明され、特徴付けられている。このデータバーストメッセージは、好適には、この規格に組み込まれた好適なタイプのうちの一つ、あるいは特別に定義されたタイプに従って実施される。メッセージ４８とメッセージ５４とがデータバーストメッセージの形態にある場合には、第６のステップ７４と最後のステップ７６において、ＢＳＳ３４は、このデータバーストメッセージを認証応答として識別し、応答値５０を復元し、この値をＭＳＣ４０に提供する。その後ＭＳＣは、復元された値と、予期されたＳＲＥＳの値との比較を行う。
【００２７】
ランダム認証番号と、この番号に対する応答とを、ＳＭＳまたはデータバーストメッセージに組み込むことによって、この番号及び応答のサイズについての制限が回避される。このようなサイズ制限、すなわち、ランダム認証番号とその応答に値するそれぞれのビット数は、一般には具体的なプロトコルによって定義される。ＳＭＳまたはデータバーストメッセージを配信システムとして使用することによって、移動電話は、ソフトウェアまたはハードウェアを変更することなく、様々なプロトコルにおいて認証されるようになる。
【００２８】
上述された好適な実施例は、一例として引用されたものであり、本発明は、特別に示されたもの、及び上述されたものに限定されないことが認められるであろう。むしろ、本発明の範囲は、当該技術分野における熟練者が本記載を読むことによって思い浮かび、従来技術では開示されていない変形や改良と同様に、上述された様々な特徴の組み合わせ及び部分組み合わせの両方を含む。
【図面の簡単な説明】
【００２９】
【図１】当該技術で知られている携帯通信ネットワーク内の認証処理を示す概要図。
【図２】本発明の好適な実施に従った移動電話の認証処理を示す概要図。
【図３】本発明の好適な実施例に従って、通信ネットワークで動作している図２の移動電話の認証に含まれるステップを示すシーケンス図。
【符号の説明】
【００３０】
１０…携帯ネットワーク、１２…移動電話、１４…基地局システム、１６…移動切換センタ、１８…認証センタ、２２…認証パケット、２４…応答値、２６…認証応答パケット、２８…ショートメッセージサービスセンタ、２９…ホーム位置レジスタ、３０…携帯通信ネットワーク、３１…要素、３２…移動電話、３３…メモリ、３４…基地局システム、３５…電気回路、３６…認証センタ、３７…ネットワーク制御センタ、３８…ホーム位置レジスタ、４０…移動切換センタ、４２…ショートメッセージサービスセンタ、４４…ランダム番号認証、４６…識別子、４８…第１のフォワードメッセージ、５０…応答値、５２…識別子、５４…返信メッセージ
【図１】
2005510989.tif 000003
【図２】
2005510989.tif 000004
【図３】
2005510989.tif 000005
【国際調査報告】
2005510989.tif 000006
2005510989.tif 000007